(57)【特許請求の範囲】
【請求項１】
壁紙を送り出しローラーによって送り込み、糊付ローラーにより裏面に糊を転写し、表面側を押さえローラーで押さえて送り出す自動壁紙糊付機において、
前記押さえローラーおよび前記送り出しローラーを歯車列を介して駆動する構成とし、前記押さえローラーと一体のローラー軸と、該押さえローラーに駆動力を伝達する歯車との間にトルク制限機構を設け、壁紙の送り速度が前記送り出しローラーの周速より小さくなり、壁紙と前記押さえローラーとの間の摩擦により前記押さえローラーに加わる負荷トルクが所定値以上になると、前記歯車から前記押さえローラーに伝達される駆動力を遮断し、前記押さえローラーの周速が壁紙の送り速度と等しくなるように構成したことを特徴とする自動壁紙糊付機。
【請求項２】
壁紙を送り出しローラーによって送り込み、糊付ローラーにより裏面に糊を転写し、表面側を押さえローラーで押さえて送り出す自動壁紙糊付機において、
前記押さえローラーおよび前記送り出しローラーを歯車列を介して駆動する構成とし、前記押さえローラーの周速が前記送り出しローラーの周速よりも僅かに速くなるよう歯車列の速度比を設定とするとともに、前記押さえローラーと一体のローラー軸と、前記押さえローラーに駆動力を伝達する歯車との間にトルク制限機構を設け、壁紙の送り速度が前記送り出しローラーの周速より小さくなり、壁紙と前記押さえローラーとの間の摩擦により前記押さえローラーに加わる負荷トルクが所定値以上になると、前記歯車から前記押さえローラーに伝達される駆動力を遮断し、前記押さえローラーの周速が壁紙の送り速度と等しくなるように構成したことを特徴とする自動壁紙糊付機。
【発明の詳細な説明】
【技術分野】
【０００１】
本発明は、主として屋内の壁面や天井面に、シート状の壁装材、すなわち壁紙を貼り付ける際に長尺の壁装材の裏面に糊を連続的に塗布するための自動壁紙糊付機に関し、特に、壁紙と押さえローラー表面との擦れによる壁紙表面の擦り傷や擦れ光の発生を防止するための技術に関する。
【背景技術】
【０００２】
従来より、壁紙施工における糊付作業の負荷を軽減し、かつ、糊付の均一化を図るために、壁紙糊付機が広く使用されており、特に、自動壁紙糊付機は、その性能が向上するにつれて広く普及してきており、内装施工すなわち壁紙の施工には欠かせない装置となっている。そして、その自動壁紙糊付機として、例えば図７に示すように、壁紙が送り込まれる入口側に壁紙Ｋを支える下部ステー１が位置し、その内側に、検尺ローラー２、送り出しローラー３、ハイテンションローラー４、ドクターローラー５、糊付ローラー６、押さえローラー７、ナラシローラー８からなるローラー群を備え、壁紙Ｋを下部ステー１上に挿入し、検尺ローラー２と送り出しローラー３で挟んで送り込み、ハイテンションローラー４で適度な張力（テンション）を与えるとともに、ハイテンションローラー４と押さえローラー７とで糊付ローラー６への巻き付き角θを維持し、また、糊付ローラ−６の外周に付着する糊膜の厚みをドクターローラー５で調整しつつ、糊付ローラー６によって壁紙Ｋの裏面に糊を転写し、ナラシローラー８によって糊面を均しながら出口側に排出するようにしたものが知られている。
【０００３】
この自動壁紙糊付機では、送り込まれた壁紙Ｋが所定の巻き付き角θで糊付ローラー６の外周面に接触し、糊付ローラー６が、送り出しローラー３より大きい（速い）周速で回転することにより、送り速度の遅い壁紙Ｋとの間に滑りを生じつつ壁紙Ｋの裏面に糊を擦り付けるようにする。その際、壁紙Ｋは、２本のゴムローラー（検尺ローラ２と送り出しローラー３）によって、機械入口側より強制的に送り出される。そのため、出口側で壁紙と接触するローラーは、壁紙に抵抗を与えることの無いように周速が壁紙Ｋの送り速度（送り出しローラー３の周速度）よりも大きく、出口側のローラーほど周速が順次大きく（速く）なるように構成されている（例えば、特許文献１参照。）。
【０００４】
出口側のローラーの周速が遅いと、その周速の遅いローラーとの摩擦が抵抗となり、壁紙は、図７に破線で示すように、ゴムローラー（検尺ローラー２と送り出しローラー３）の後の搬送経路において周速の遅いローラーの手前で壁紙Ｋが浮き上がったり、本体側へ巻き込まれたりして、糊付されて排出される壁紙に皺ができてしまう。
【０００５】
【特許文献１】特開２００１−１７９１５０号公報
【発明の開示】
【発明が解決しようとする課題】
【０００６】
従来の自動壁紙糊付機は、上述のようにローラー周速が出口側のローラーほど速いが、この場合、壁紙の表面側に接する押さえローラーにおいて、次のような問題が発生する。
【０００７】
すなわち、従来の自動壁紙糊付機では、糊付ローラー６が送り出しローラー３より周速が大きい（速い）ため、壁紙と押さえローラー表面とに速度差があって、押さえローラーと壁紙表面とが擦れるという現象が発生する。従来の壁紙は、表面層が塩化ビニルで構成された所謂「ビニル壁紙」が主流であったが、最近では、脱塩ビの風潮とユーザーニーズの多様化により、紙や珪藻土を使用したもの、あるいは特殊な表面処理を施したもの、さらにはインクジェットプリンタでオリジナルな絵柄を印刷したものまで、様々な種類の壁紙が登場してきている。そうした壁紙には、表面が比較的軟質な塩ビ壁紙と違って、表面層が硬い壁紙や、デリケートな壁紙があり、その場合、壁紙と押さえローラー表面との速度差により発生する擦れによって、壁紙表面に細かい擦り傷が発生する可能性がある。また、軟質な材料で出来た壁紙であっても、壁紙と押さえローラー表面との速度差が大きいと、壁紙表面に擦れ光りができてしまうことがある。
【０００８】
本発明は、こうした壁紙と押さえローラー表面との擦れによる壁紙表面の擦り傷や擦れ光の発生を防止することを目的とする。
【課題を解決するための手段】
【００１５】
本発明の自動壁紙糊付機は、壁紙を送り出しローラーによって送り込み、糊付ローラーにより裏面に糊を転写し、表面側を押さえローラーで押さえて送り出す自動壁紙糊付機において、前記押さえローラーおよび前記送り出しローラーを歯車列を介して駆動する構成とし、前記押さえローラーと一体のローラー軸と、該押さえローラーに駆動力を伝達する歯車との間にトルク制限機構を設け、壁紙の送り速度が前記送り出しローラーの周速より小さくなり、壁紙と前記押さえローラーとの間の摩擦により前記押さえローラーに加わる負荷トルクが所定値以上になると、前記歯車から前記押さえローラーに伝達される駆動力を遮断し、前記押さえローラーの周速が壁紙の送り速度と等しくなるように構成したことを特徴とする。
【００１６】
壁紙は２本のゴムローラーによって挟み込まれて送り込まれるが、皺や弛みをなくすために適度な張力を付与された状態であるために、ゴムローラーとの間で滑りが生じ、そのため、送り出しローラーの周速と壁紙の送り速度は必ずしも一致せず、送りローラーの周速よりも壁紙の送り速度は小さく（遅く）なることが多い。そのような場合でも、上記のようにトルク制限機構を設け、壁紙の送り速度が前記送り出しローラーの周速より小さくなり、壁紙と押さえローラーとの間の摩擦により押さえローラーに加わる負荷トルクが所定値以上になると、歯車から押さえローラーに伝達される駆動力を遮断し、押さえローラーの周速が壁紙の送り速度と等しくなるようにすることで、押さえローラーの周速が壁紙の送り速度を上回ることがないようにすることができる。
【００１７】
また、押さえローラーおよび送り出しローラーを歯車列を介して駆動する構成とし、押さえローラーの周速が送り出しローラーの周速よりも僅かに速くなるよう歯車列の速度比を設定するとともに、押さえローラーと一体のローラー軸と、押さえローラーに駆動力を伝達する歯車との間にトルク制限機構を設け、壁紙の送り速度が送り出しローラーの周速より小さくなり、壁紙と押さえローラーとの間の摩擦により押さえローラーに加わる負荷トルクが所定値以上になると、歯車から押さえローラーに伝達される駆動力を遮断し、押さえローラーの周速が壁紙の送り速度と等しくなるように構成してもよい。
【００１８】
こうすることで、やはり、押さえローラーの周速が壁紙の送り速度を上回ることがないようにすることができる。
【発明の効果】
【００２１】
このように、本発明によれば、押さえローラーおよび送り出しローラーを歯車列を介して駆動する構成とし、押さえローラーの周速が送り出しローラーの周速と等しくなるよう歯車列の速度比を設定とするとともに、押さえローラーと一体のローラー軸と、押さえローラーに駆動力を伝達する歯車との間にトルク制限機構を設け、壁紙の送り速度が送り出しローラーの周速より小さくなり、壁紙と押さえローラーとの間の摩擦により押さえローラーに加わる負荷トルクが所定値以上になると、歯車から押さえローラーに伝達される駆動力を遮断し、押さえローラーの周速が壁紙の送り速度と等しくなるようにすることで、押さえローラーの周速が壁紙の送り速度を上回ることがないようにすることができるので、壁紙と押さえローラー表面との擦れを無くし、壁紙表面の擦り傷や擦れ光の発生を防止することができる。
【００２２】
また、押さえローラーおよび送り出しローラーを歯車列を介して駆動する構成とし、押さえローラーの周速が送り出しローラーの周速よりも僅かに速くなるよう歯車列の速度比を設定とするとともに、押さえローラーと一体のローラー軸と、押さえローラーに駆動力を伝達する歯車との間にトルク制限機構を設け、壁紙と押さえローラーとの間の摩擦により押さえローラーに加わる負荷トルクが所定値以上になると、歯車から押さえローラーに伝達される駆動力を遮断し、押さえローラーの周速が壁紙の送り速度と等しくなるようにすることで、押さえローラーの周速が壁紙の送り速度を上回ることがないようにすることができるので、壁紙と押さえローラー表面との擦れを無くし、壁紙表面の擦り傷や擦れ光の発生を防止することができる。
【発明を実施するための最良の形態】
【００２３】
以下、本発明の実施形態を図面に基づいて説明する。
【００２４】
（第１実施形態）
図１〜図３は本発明の第１実施形態の自動壁紙糊付機を示している。図１は自動壁紙糊付機の本体中央部巾方向の断面図、図２はローラー群の配置を示す説明図、図３はローラー端部の構成を示す説明図である。
【００２５】
この自動壁紙糊付機は、糊付機本体10がキャスター付きの脚部によって所定高さに支持され、脚部の背面下方にロール状の壁紙原反をセットする原反芯棒を着脱自在に取り付ける紙受ブラケットが設けられ、糊付機本体上部の上部ステーに、操作用のコントローラを着脱自在に取り付ける受け台が取り付けられるものである。もちろん、従来より知られた自動壁紙糊付機の構成に、本発明の構造を採用することが可能である。
【００２６】
そして、糊付機本体10には、図１に示すように、壁紙が送り込まれる入口側に壁紙Ｋを支える下部ステー１が位置し、それに続いて、検尺ローラー２、送り出しローラー３、ハイテンションローラー４、ドクターローラー５、糊付ローラー６、押さえローラー７、ナラシローラー８の順となる配置でローラー群が設けられている。
【００２７】
糊付機本体10は、上部フレーム11と下部フレーム12に分かれ、送り出しローラー３、糊付ローラー６、ナラシローラー８およびドクターローラー５が下部フレーム12の上部に設置され、検尺ローラー２、ハイテンションローラー４および押さえローラー７が上部フレームに設置されている。これらのローラーは、検尺ローラー２とハイテンションローラー４が回転フリーで、また、押さえローラー７が回転フリーで、それ以外は、歯車式の動力伝達機構を介してモータで駆動される。なお、動力伝達機構は歯車以外のベルト伝達機構などを採用してもよいのである。
【００２８】
また、下部ステー１は、下部フレーム12に設置されている。また、下部フレーム12には、ローラー群の下方に糊付機本体10から着脱自在な糊箱13が設置されている。そして、糊箱13の内側には、糊付ローラー６との間に一定（通常１ｍｍ前後）の隙間をもって回転駆動される糊上ローラー９が設置されている。
【００２９】
この自動壁紙糊付機は、図２に示すように、脚部背面下方の原反芯棒にセットされたロール状原反の壁紙Ｋを、糊付機本体10の下部ステー１上に背面側から挿入して、検尺ローラー２（ゴムローラー）と送り出しローラー３（ゴムローラー）で挟んで送り込み、ハイテンションローラー４で適度な張力（テンション）を与えるとともに、ハイテンションローラー４と押さえローラー７とで糊付ローラー６への巻き付き角θを維持しつつ、また、糊上ローラー９の回転により糊箱から持ち上げられ糊付ローラ−６の外周に付着する糊膜の厚みを、ドクターローラー５によって調整しつつ、糊付ローラー６によって壁紙Ｋの裏面に糊を転写し、ナラシローラー８によって糊面を均しながら糊付機本体10の正面側の出口から排出する。
【００３０】
糊付ローラー６への壁紙の巻き付き角θは、ハイテンションローラー４と押さえローラー７とで維持される。また、押さえローラー７は、ナラシローラー８への壁紙Ｋの巻き付き角ωを維持する働きを兼ねている。
【００３１】
糊は、糊上ローラー９の回転により糊箱13から持ち上げられて、糊付ローラー６に転写される。糊上ローラー９が回転すると、周辺の糊がその粘性によってローラー表面に引っ張られることによって糊上ローラー９へと誘導されていく。そして、誘導された糊が糊付ローラー６へ転写され、これが糊付ローラー６から壁紙Ｋの裏面へ転写されるのである。その際、ドクターローラー５によって、糊付ローラー６の外周に付着する糊膜の厚みが調整され、それにより、壁紙の糊厚が調整される。
【００３２】
検尺ローラー２は、両端が回転フリーに支持され、バネ（図示せず）により送り出しローラー３に向けて付勢されて、送り出しローラー３との間に挟み込んだ壁紙Ｋに押し付けられることにより、壁紙Ｋの送りに合わせて一方向に回転する。
【００３３】
検尺ローラー２は、送り込んだ壁紙Ｋの長さを検出するためのもので、例えば円周を等分割した位置にスリットを設けたスリット板が軸端に取り付けられ、そのスリット板の回転がフォトマイクロセンサーで検出され、フォトマイクロセンサーが、スリット板の回転すなわち検尺ローラー２の回転に応じたパルスを発生し、そのパルスをカウントすることによって検尺ローラー２の回転量が測定されるよう構成されている。その測定された回転量と予めわかっている検尺ローラー２の外径寸法とから、ローラー外周面の移動距離すなわち送り込まれた壁紙Ｋの長さが検出される。こうして検出される寸法情報は、常時操作パネルに表示される。また、検出値が予め設定した値に達すると機械が自動的に停止する。
【００３４】
この自動壁紙糊付機では、送り込まれた壁紙Ｋが所定の巻き付き角θで糊付ローラー６の外周面に接触し、糊付ローラー６が、送り出しローラー３より大きい周速度で回転することにより、送り速度の遅い壁紙Ｋとの間に滑りを生じつつ壁紙Ｋの裏面に糊を擦り付ける。その際、壁紙Ｋは、２本のゴムローラー（検尺ローラ２と送り出しローラー３）によって、機械入口側より強制的に送り出される。
【００３５】
そのため、それより出口側で壁紙と接触するローラーは、押さえローラー７とハイテンションローラー４を除き、壁紙に抵抗を与えることの無いように、周速が壁紙Ｋの送り速度（送り出しローラー３の周速）よりも大きく、出口側のローラーほど周速が大きくなるように構成されている。
【００３６】
そして、この実施形態の自動壁紙糊付機は、図３に示すように、押さえローラー７を回転フリーとし、壁紙Ｋと押さえローラー７の表面との間の摩擦によって回転するようにしている。この場合、押さえローラー７の周速は壁紙Ｋの送り速度と等しくなる。図３において、21は糊付ローラー６の軸端に固定された駆動用の歯車であり、22はナラシローラーの軸端に固定された駆動用の歯車、23は両歯車21、22に噛み合うアイドラー歯車である。
【００３７】
このように押さえローラー７の周速が壁紙の送り速度と等しくなることで、壁紙Ｋと押さえローラー７の表面との擦れを無くし、壁紙表面の擦り傷や擦れ光の発生を防止することができる。また、壁紙Ｋは、ナラシローラー８との間の摩擦によって引っ張られるが、その壁紙Ｋを引っ張り出そうとする力は、押さえローラー７の回転抵抗を小さくして、押さえローラー７が十分軽く空転する構成とすることにより、壁紙Ｋに加わる押さえローラー７の回転抵抗より十分大きくすることができ、したがって、押さえローラー７を回転フリーにしても、壁紙Ｋの送りの障害となることはなく、壁紙Ｋのたるみを引き起こすことはない。
【００３８】
（第２実施形態）
図４〜図６は本発明の第２実施形態を示している。図４は自動壁紙糊付機のローラー端部の構成を示す説明図、図５は押さえローラー７の端部の構成を示す断面図、図６は押さえローラー７の作用を示す説明図である。
【００３９】
この実施形態の自動壁紙糊付機は、図４に示すように、押さえローラー７を歯車列を介して駆動する構成とし、押さえローラー７の周速が送り出しローラー３の周速と等しくなるよう歯車列の速度比を設定するものであり、かつ、図５に示すように、押さえローラー７と一体のローラー軸24と、押さえローラー７に駆動力を伝達する歯車25との間に、トルク制限機構として摩擦クラッチ26を設け（摩擦クラッチ以外のトルク制限機構を使用してもよい）、壁紙Ｋの送り速度が送り出しローラー３の周速より小さくなり、壁紙Ｋと押さえローラー７との間の摩擦により押さえローラーに加わる負荷トルクが所定値以上になると、歯車25から押さえローラー７に伝達される駆動力を遮断し、押さえローラー７の周速が壁紙Ｋの送り速度と等しくなるように構成したものであって、それ以外の部分の自動壁紙糊付機の構成および基本的な動作は先の第１実施形態のものと同様である。この場合、押さえローラー７駆動用の歯車25は、糊付ローラー６駆動用の歯車21とナラシローラー８駆動用の歯車22の間に、それら両歯車21、22と噛み合うよう配置される。
【００４０】
この場合、押さえローラー７の周速は壁紙Ｋの送り速度と等しくなり、壁紙Ｋと押さえローラー７の表面との擦れは発生せず、擦れによる壁紙表面の擦り傷や擦れ光の発生はなくなる。
【００４１】
壁紙Ｋは２本のゴムローラーによって挟み込まれて送り込まれるが、皺や弛みをなくすために適度な張力を付与された状態であるために、ゴムローラーとの間で滑りが生じ、そのため、送り出しローラー３の周速と壁紙Ｋの送り速度は必ずしも一致せず、送りローラー３の周速よりも壁紙Ｋの送り速度は小さく（遅く）なることが多い。そのような場合でも、上記のように摩擦クラッチ26を設け、壁紙Ｋの送り速度が送り出しローラー３の周速より小さくなり、壁紙Ｋと押さえローラー７との間の摩擦により押さえローラー７に加わる負荷トルクが所定値以上になると、歯車25から押さえローラー７に伝達される駆動力を遮断し、押さえローラー７の周速が壁紙Ｋの送り速度と等しくなるようにすることで、押さえローラー７の周速が壁紙Ｋの送り速度を上回ることがないようにすることができる。
【００４２】
この実施形態では、図６の（ａ）に示すように、壁紙Ｋの送り速度ｖと、歯車25を介して駆動されている押さえローラ７の周速ｖｒが等しければ、両者の接触点における相対速度は０であり、両者に対し余分な外力は働かない。この場合、摩擦クラッチ26は締結状態を維持し、押さえローラー７は歯車25からの駆動力を１００％受け取った状態で回転し、その周速と壁紙Ｋの送り速度が一致した状態が維持される。
【００４３】
また、図６の（ｂ）に示すように、壁紙Ｋと送り出しローラー３との間でスリップが生じた場合には、押さえローラー７の周速ｖｒが壁紙Ｋの送り速度ｖよりも大きくなる。そして、壁紙Ｋの表面を押さえローラー７の表面が擦ることになって、両者の接触点には抵抗Ｆが生じ、この抵抗Ｆによって、押さえローラー軸24には回転方向とは逆向きのトルクＴが付与される。この場合、摩擦クラッチ26の伝達トルクよりも大きくなり、歯車25からの駆動力が遮断され、押さえローラー７はｖｒ＝ｖとなるまで停止する。そして、押さえローラー７の周速ｖｒが壁紙Ｋの送り速度ｖと一致すると、摩擦クラッチ26が再び締結状態となる。こうして押さえローラー７の周速と壁紙Ｋの送り速度とが常時等しい状態に維持することができる。
【００４４】
なお、この第２実施形態は、押さえローラー７の周速が送り出しローラー３の周速よりも僅かに速くなるよう歯車列の速度比を設定してもよく、その場合も同様の作用効果が得られる。
【００４５】
以上、実施形態を図示の例について説明したが、本発明はこれに限定されるものではなく、様々な態様で実施することができる。
【図面の簡単な説明】
【００４６】
【図１】本発明の第１実施形態の自動壁紙糊付機の本体中央部巾方向の断面図である。
【図２】本発明の第１実施形態の自動壁紙糊付機のローラー群の配置を示す説明図である。
【図３】本発明の第１実施形態の自動壁紙糊付機のローラー端部の構成を示す説明図である。
【図４】本発明の第２実施形態の自動壁紙糊付機のローラー端部の構成を示す説明図である。
【図５】本発明の第２実施形態の自動壁紙糊付機の押さえローラーの端部の構成を示す断面図である。
【図６】本発明の第２実施形態の自動壁紙糊付機の押さえローラーの作用を示す説明図である。
【図７】従来の自動壁紙糊付機のローラー群の配置を示す説明図である。
【符号の説明】
【００４７】
１  下部ステー
２  検尺ローラー
３  送り出しローラー
４  ハイテンションローラー
５  ドクターローラー
６  糊付ローラー
７  押さえローラー
８  ナラシローラー
10  糊付機本体
11  上部フレーム
12  下部フレーム
13  糊箱
21  糊付ローラー駆動用の歯車
22  ナラシローラー駆動用の歯車
23  アイドラー歯車
24  押さえローラーのローラ軸
25  押さえローラー駆動用の歯車
Ｋ  壁紙
Ｆ  抵抗
Ｔ  送り方向と逆向きのトルク
ｖ  壁紙の送り速度
ｖｒ  押さえローラーの周速
θ  糊付ローラーへの巻き付き角
ω  ナラシローラーへの巻き付き角
【図１】
0004793858.tif 000002
【図２】
0004793858.tif 000003
【図３】
0004793858.tif 000004
【図４】
0004793858.tif 000005
【図５】
0004793858.tif 000006
【図６】
0004793858.tif 000007
【図７】
0004793858.tif 000008